(57)【要約】      （修正有）【課題】梱包時や打ち込み作業時に粘着テープの粘着面が他の部分へと接着してもつれることの少ないテープドＴナットを提供する。【解決手段】テープドＴナット１０は、複数のＴナット１を、各フランジ部３が隣り合うように一列に並べて粘着テープ５に貼着されており、隣接するフランジ部３間を跨ぐようにフランジ部３の上面を覆う上面被覆シート６を備え、フランジ部３は、隣接するフランジ部３との間に、Ｔナット１の並ぶ方向と垂直な幅方向の両端部に粘着テープ５の粘着面が露出する間隙を有しており、上面被覆シート６と粘着テープ５とが間隙から露出した粘着テープ５の粘着面で貼り合わせられてフランジ部３を挟持している。【選択図】図１
2014014917.tif 000002
【特許請求の範囲】
【請求項１】
両端が開口し内面に雌ねじが設けられた筒状の軸部と、前記軸部の下端側開口の周縁に設けられたフランジ部とを有する複数のＴナットを、各フランジ部が隣り合うように一列に並べて前記フランジ部の下面を粘着テープに貼着して連結したテープドＴナットであって、
隣接するフランジ部間を跨ぐようにフランジ部の上面を覆う上面被覆シートを備え、
前記フランジ部は、隣接するフランジ部との間に、Ｔナットの並ぶ方向と垂直な幅方向の両端部に前記粘着テープの粘着面が露出する間隙を有しており、
前記上面被覆シートと前記粘着テープとが前記間隙から露出した粘着テープの粘着面で貼り合わせられて前記フランジ部を挟持していることを特徴とするテープドＴナット。
【請求項２】
前記フランジ部から前記軸部上端側に向かって延出する爪を備え、
前記上面被覆シートは、前記爪に突き破られるように貫通されて前記粘着テープに貼着されている請求項１に記載のテープドＴナット。
【請求項３】
前記フランジ部から前記軸部上端側に向かって延出する爪を備え、
前記上面被覆シートは、前記爪を挿通する挿通孔を備える請求項１に記載のテープドＴナット。
【請求項４】
前記軸部は、下端側に上端側より外径及び内径の大きい拡径部を有する請求項１から請求項３のいずれか１項に記載のテープドＴナット。
【請求項５】
前記軸部は、固着対象物にかしめ固定されるかしめ予定部を上端側に有する請求項１から請求項４のいずれか１項に記載のテープドＴナット。
【請求項６】
前記雌ねじは、前記軸部の外周面を陥没させることにより設けられた変形部を有する請求項１から請求項５のいずれか１項に記載のテープドＴナット。
【発明の詳細な説明】
【技術分野】
【０００１】
この発明は、複数のＴナットを一列に並べて粘着テープに貼着したテープドＴナットに関する。
【背景技術】
【０００２】
従来、Ｔナットを一列に並べた状態で粘着テープに貼着したテープドＴナットが用いられている（例えば、特許文献１参照。）このテープドＴナットは、予めテープ上にＴナットが整列されているため、図１２に示したようにＴナットの整列機を有さない簡易な打込み装置１００を使用できる利点がある。
【０００３】
しかし、通常Ｔナットのフランジ部は、六角形や円形等であるため、従来のテープドＴナットにおいては隣接するフランジ部間に隙間があり、フランジ下面に貼着したテープの粘着面がこの間隙から上方へ露出しているため、梱包時や作業時にこの露出した粘着面が他の部分へ貼り付いてテープドＴナットがもつれたり、粘着面に貼りついたＴナットがはがれたりするという不都合が有った。
【先行技術文献】
【特許文献】
【０００４】
【特許文献１】特開２００４−１７２５０
【発明の概要】
【発明が解決しようとする課題】
【０００５】
本発明は、上記課題に鑑みてなされたものであり、テープのもつれやＴナットの脱着を抑制可能なテープドＴナットの提供を目的とする。
【課題を解決するための手段】
【０００６】
上記課題を解決するためになされた発明は、両端が開口し内面に雌ねじが設けられた筒状の軸部と、前記軸部の下端側開口の周縁に設けられたフランジ部とを有する複数のＴナットを、各フランジ部が隣り合うように一列に並べて前記フランジ部の下面により粘着テープに貼着して連結したテープドＴナットであって、隣接するフランジ部間を跨ぐようにフランジ部の上面を覆う上面被覆シートを備え、前記フランジ部は、隣接するフランジ部との間に、Ｔナットの並ぶ方向と垂直な幅方向の両端部に前記粘着テープの粘着面が露出する間隙を有しており、前記上面被覆シートと前記粘着テープとが前記間隙から露出した粘着テープの粘着面で貼り合わせられて前記フランジ部を挟持していることを特徴とする。
【０００７】
本発明に係るテープドＴナットでは、このように上面被覆シートによりフランジ部間から露出する粘着テープの粘着面を覆うため、粘着面が粘着テープの他の部分やＴナットへ接着してしまうことを防止できる。また、粘着テープと上面被覆シートでＴナットを挟持するためＴナットが粘着テープから外れることを抑制することができる。
【０００８】
本発明のテープドＴナットは、前記フランジ部から前記軸部上端側に向かって延出する爪を備え、前記上面被覆シートは、前記爪に突き破られるように貫通されて前記粘着テープに貼着されていることが好ましい。こうすることで、爪が上面被覆シートから抜けにくくなり、より効果的にＴナットの外れを抑制することができる。
【０００９】
本発明のテープドＴナットは、前記フランジ部から前記軸部上端側に向かって延出する爪を備え、前記上面被覆シートは、前記爪を挿通する挿通孔を備えるようにしてもよい。こうすることで、容易に上面被覆シートを粘着テープに貼り付けることができる。
【００１０】
前記軸部は、上端側より外径及び内径の大きい拡径部を下端側に有していてもよく、固着対象物にかしめ固定されるかしめ予定部を上端側に有していてもよい。また、前記雌ねじは、前記軸部の外周面を陥没させることにより設けられた変形部を有していてもよい。
【００１１】
ここで、軸部の「下端側」とは、フランジ部と連結している側をいうものとし、軸部の「上端側」とは、下端側と逆側をいうものとする。フランジ部の「上面」とは、フランジ部において軸部が延出している方の面をいい、フランジ部の「下面」とは、軸部が延出している側の面と逆側の面をいうものとする。
【発明の効果】
【００１２】
以上説明したように、本発明のテープドＴナットによれば、梱包時や打ち込み作業時に粘着面が他の部分へ接着して粘着テープがもつれたりＴナットが外れたりすることを抑制できる。
【図面の簡単な説明】
【００１３】
【図１】本発明の第１実施形態に係るテープドＴナットの斜視図である。
【図２】本発明の第１実施形態に係るテープドＴナットの（ａ）平面図、（ｂ）軸部にかしめ予定部を有さない例のＸ‐Ｘ線視断面図、（ｃ）軸部にかしめ予定部を有する例のＸ‐Ｘ線視断面図、（ｄ）（ｂ）の例のＹ−Ｙ視断面図である。
【図３】本発明の第２実施形態に係るテープドＴナットの斜視図である。
【図４】本発明の第２実施形態に係るテープドＴナットの（ａ）平面図、（ｂ）軸部にかしめ予定部を有さない例のＸ‐Ｘ線視断面図、（ｃ）軸部にかしめ予定部を有する例のＸ‐Ｘ線視断面図、（ｄ）（ｂ）の例のＹ−Ｙ視断面図である。
【図５】本発明の第３実施形態に係るテープドＴナットの（ａ）平面図、（ｂ）軸部にかしめ予定部を有さない例のＸ‐Ｘ線視断面図、（ｃ）軸部にかしめ予定部を有する例のＸ‐Ｘ線視断面図、（ｄ）（ｂ）の例のＹ−Ｙ視断面図である。
【図６】図２（ｂ）に示したテープドＴナットの雌ねじ部に変形部を有さない例の（ａ）要部断面図と（ｂ）斜視図、及び雌ねじ部に変形部を有する例の（ｃ）要部断面図と（ｄ）斜視図である。
【図７】図２（ｃ）に示したテープドＴナットの雌ねじ部に変形部を有さない例の（ａ）要部断面図と（ｂ）斜視図、及び雌ねじ部に変形部を有する例の（ｃ）要部断面図と（ｄ）斜視図である。
【図８】軸部に拡径部とかしめ予定部とを有するテープドＴナットの雌ねじ部に変形部を有さない例の（ａ）要部断面図と（ｂ）斜視図、及び雌ねじ部に変形部を有する例の（ｃ）要部断面図と（ｄ）斜視図である。
【図９】軸部に拡径部を有するテープドＴナットの雌ねじ部に変形部を有さない例の（ａ）要部断面図と（ｂ）斜視図、及び雌ねじ部に変形部を有する例の（ｃ）要部断面図と（ｄ）斜視図である。
【図１０】本発明のテープドＴナットの爪の例を示した模式図である。
【図１１】かしめ予定部の作用を示す説明図である。
【図１２】本発明のテープドＴナットに使用可能な打込み機の一例を示した斜視図である。
【発明を実施するための形態】
【００１４】
以下、適宜図面を用いながら本発明の実施形態について詳述する。尚、本発明のテープドＴナットは、以下の実施の形態に限定されるものではない。
【００１５】
（第１実施形態）
図１は、本発明の第１実施形態に係るテープドＴナット１０を示している。テープドＴナット１０は、複数のＴナット１と、粘着テープ５と、上面被覆シート６とを主に備えている。
【００１６】
Ｔナット１は、スリッターコイル（帯状の金属板、不図示）を板金加工することにより一体的に形成され、図２（ｂ）に示すように、両端が開口し内面に雌ねじ２ａが設けられた筒状の軸部２と、軸部２の下端側（図２（ｂ）の下側）開口の周縁に設けられたフランジ部３と、フランジ部３から軸部の上端側（図２（ｂ）の上側）へ延出する爪４とを有している。
【００１７】
Ｔナットの軸部は、図２（ｂ）のテープドＴナット１０の軸部２のように、略全長に渡って内周面に雌ねじ２ａを設けてもよいし、図２（ｃ）及び図７に示したテープドＴナット１０Ａの軸部２Ａのように、上端部に雌ねじ２ａを有さないかしめ予定部２ｂを設けることもできる。かしめ予定部２ｂは、図１１に示したように固着対象物ＤへＴナット１Ａを打ち込んだ際に、固着対象物Ｄに食い込んでかしめ固定される部分である。また、軸部は、図８及び図９に示したテープドＴナット１Ｂ、１Ｃの軸部２Ｂ、２Ｃのように拡径部２ｄを備えていてもよいし、図６乃至図９の（ｃ）及び（ｄ）に示したように、雌ねじ部２ａに、軸部の外周面を陥没させて陥没部２ｃを設けることにより形成したボルトの抜け防止用の変形部２ｅを有していてもよい。
【００１８】
本実施形態のフランジ部３は、図２（ａ）に示すように、略六角形を有している。爪４は、フランジ部３の外周部を切起こすようにして設けられ、フランジ部３の６つの端辺のうち軸部２を挟んで対向する一対の端辺３ａの両端に、計２対４本が設けられている。複数のＴナット１は、この爪４を有する端辺３ａを互いに当接させるようにして一列に並べられており、隣接するフランジ部３間において、幅方向の両端に間隙８が形成される。
【００１９】
粘着テープ５は、樹脂製テープであり片面に接着剤が塗布された粘着面５ａを備えている。粘着テープ５は、粘着面５ａにより、上記のように一列にならべた複数のＴナット１のフランジ部の下面３ｃに貼着されており、こうして、複数のＴナット１が一列に連結されている。
【００２０】
粘着テープの材質としては、紙製、布製、樹脂製その他公知の材料を適宜用いることができ、セロハンやビニール等の透明樹脂製が、脱着したＴナットの有無をテープ越しに判別し易いことから好ましい。粘着面に塗布される接着剤としては特に限定されず、各種の天然・人口の接着剤を適宜用いることができる。
【００２１】
上面被覆シート６は、樹脂製テープを切断して形成された矩形のシート状部材であり、図１及び図２に示すように、隣接するＴナット１のフランジ部３間を跨いでフランジ部３の上面３ｂを覆うように設けられている。上面被覆シート６は、爪４の先端側から爪４に押し当てられて爪４に突き破られるようにして、フランジ部３の上面に被せられる。フランジ部３が略六角形を有しているため、隣接するＴナット１の並ぶ方向と垂直な幅方向の両端部には粘着テープの粘着面が露出する間隙８が形成されており、上面被覆シート６と粘着テープ５とは、間隙８から露出した粘着テープ５の粘着面５ａを利用して貼り合わせられ、上下からフランジ部３を挟持している。
【００２２】
上面被覆シート６の下面には接着剤が塗布されていないことが好ましい。接着剤が塗布されていると、上面被覆シート６をフランジ３の上面に被せる際に接着剤を塗布した面が予定外のところへ貼り付いて、フランジ部３へ上面被覆シートを被せる妨げになる虞が有る。上面被覆シート６の材質としては、樹脂製に限らず、紙、布、金属箔その他公知の材料を適宜用いることができる。
【００２３】
粘着テープ５が透明で、かつ上面被覆シート６が有色であることが好ましい。こうすることで、上面被覆シート６の剥がれやずれ等の欠陥の有無を判別し易い。
【００２４】
本発明のテープドＴナット１０を使用する場合は、図１２に示したようなＴナット打ち込み機１００の載置テーブル１０１の上に渦巻き状に巻いて設置し、先端側のＴナット１から順次打込み部１０２に供給して粘着テープ５及び上面被覆シート６をカッター（不図示）により切断しながら１個ずつ固着対象物Ｄに打ち込んでいけばよい。
【００２５】
本発明のテープドＴナット１０によれば、上面被覆シート６によりフランジ間から露出する粘着テープ５の粘着面５ａを覆うため、粘着面５ａが粘着テープ５の他の部分やＴナット１へ接着してしまうことを防止できる。また、粘着テープ５と上面被覆シート６でＴナット１を挟持するためＴナット１が粘着テープ５から外れることを抑制することができる。また、テープドＴナット１０の上面被覆シート６は、爪４を挿通するための挿通孔が設けられていないため、コスト安である。
【００２６】
（第２実施形態）
図３及び図４は、本発明の第２実施形態に係るテープドＴナット２０，２０Ａを示している。第２実施形態のテープドＴナット２０，２０Ａでは、図４（ａ）に示すように、上面被覆シート２６に略楕円形の挿通孔７が一対設けられている。上面被覆シート２６は、挿通孔７に爪４を挿通させるようにしてフランジ部３に被せられている。第２実施形態においては、上面被覆シート２６以外の部材は、第１実施形態と共通するため説明を省略する。
【００２７】
（第３実施形態）
図５は、本発明の第３実施形態に係るテープドＴナット３０，３０Ａを示している。テープドＴナット３０，３０ＡのＴナット３１，３１Ａは、円形のフランジ部３３を有している。このため、Ｔナット３１を一列に並べた場合に、図５（ａ）に示すように、隣接するＴナット１の並ぶ方向と垂直な幅方向の両端部には粘着テープの粘着面が露出する間隙３８が形成され、上面被覆シート３６と粘着テープ３５とは、間隙３８から露出した粘着テープ３５の粘着面３５ａを利用して貼り合わされることでフランジ部３３が挟持されている。尚、図５においては、爪が設けられていない例を示したが、爪が設けられていてもよい。
【００２８】
本発明のテープドＴナットは、上記の形態に限らず、Ｔナットの形状は、上記の軸部、フランジ、及び爪を組み合わせて出来る全てのＴナットを含む他、本発明の趣旨を逸脱しない範囲であれば、公知の形状を適宜採用することができる。
【００２９】
特に、フランジ部は、粘着テープ上に一列に並べた際に、隣接するフランジ部との間において、Ｔナットの並ぶ方向と垂直な幅方向の両端部に粘着テープの粘着面が露出する間隙を有することとなる形状を備えており、かつ上面被覆シートと粘着テープとがこの間隙から露出した粘着テープの粘着面で貼り合わせられた際に、粘着テープと上面被覆シートとの間に挟持される部分を有していれば特に限定されず、多角形状、円形状、楕円形状、その他直線及び／又は曲線で囲まれた形状を適宜採用することができる。
【００３０】
また、第１実施形態において、上面被覆シートの爪４が貫通する部分に点状、線状又は十字状の切れ込みを設けておいてもよい。
【符号の説明】
【００３１】
１０，１０Ａ，２０，２０Ａ，３０，３０Ａ  テープドＴナット
１，１Ａ，１Ｂ，１Ｃ，３１，３１Ａ  Ｔナット
２，２Ａ，２Ｂ，２Ｃ，３２，３２Ａ  軸部
２ａ，３２ａ  雌ねじ
３，３３  フランジ部
３ｂ，３３ｂ  上面
３ｃ，３３ｃ  下面
４  爪
５，３５  粘着テープ
５ａ，３５ａ  粘着面
６，２６，３６  上面被覆シート
７  貫通孔
８，３８  間隙
【図１】
2014014917.tif 000003
【図２】
2014014917.tif 000004
【図３】
2014014917.tif 000005
【図４】
2014014917.tif 000006
【図５】
2014014917.tif 000007
【図６】
2014014917.tif 000008
【図７】
2014014917.tif 000009
【図８】
2014014917.tif 000010
【図９】
2014014917.tif 000011
【図１０】
2014014917.tif 000012
【図１１】
2014014917.tif 000013
【図１２】
2014014917.tif 000014
【手続補正書】
【提出日】平成24年10月4日(2012.10.4)
【手続補正１】
【補正対象書類名】特許請求の範囲
【補正対象項目名】全文
【補正方法】変更
【補正の内容】
【特許請求の範囲】
【請求項１】
両端が開口し内面に雌ねじが設けられた筒状の軸部と、前記軸部の下端側開口の周縁に
設けられたフランジ部と、前記フランジ部から前記軸部上端側に向かって延出する爪とを有する複数のＴナットを、各フランジ部が隣り合うように一列に並べて前記フランジ部の下面を粘着テープに貼着して連結したテープドＴナットであって、
隣接するフランジ部間を跨ぐようにフランジ部の上面を覆う上面被覆シートを備え、
前記フランジ部は、隣接するフランジ部との間に、Ｔナットの並ぶ方向と垂直な幅方向
の両端部に前記粘着テープの粘着面が露出する間隙を有しており、
前記上面被覆シートと前記粘着テープとが前記間隙から露出した粘着テープの粘着面で
貼り合わせられて前記フランジ部を挟持しており、
前記上面被覆シートは、前記爪に突き破られるように貫通されて前記粘着テープに貼着
されていることを特徴とするテープドＴナット。
【請求項２】
両端が開口し内面に雌ねじが設けられた筒状の軸部と、前記軸部の下端側開口の周縁に
設けられたフランジ部と、前記フランジ部から前記軸部上端側に向かって延出する爪とを有する複数のＴナットを、各フランジ部が隣り合うように一列に並べて前記フランジ部の下面を粘着テープに貼着して連結したテープドＴナットであって、
隣接するフランジ部間を跨ぐようにフランジ部の上面を覆う上面被覆シートを備え、
前記フランジ部は、隣接するフランジ部との間に、Ｔナットの並ぶ方向と垂直な幅方向
の両端部に前記粘着テープの粘着面が露出する間隙を有しており、
前記上面被覆シートと前記粘着テープとが前記間隙から露出した粘着テープの粘着面で
貼り合わせられて前記フランジ部を挟持しており、
前記上面被覆シートは、前記爪を挿通する挿通孔を備えることを特徴とするテープドＴナット。
【請求項３】
前記軸部は、下端側に上端側より外径及び内径の大きい拡径部を有する請求項１又は請
求項２に記載のテープドＴナット。
【請求項４】
前記軸部は、固着対象物にかしめ固定されるかしめ予定部を上端側に有する請求項１か
ら請求項３のいずれか１項に記載のテープドＴナット。
【請求項５】
前記雌ねじは、前記軸部の外周面を陥没させることにより設けられた変形部を有する請
求項１から請求項４のいずれか１項に記載のテープドＴナット。
【手続補正２】
【補正対象書類名】明細書
【補正対象項目名】０００６
【補正方法】変更
【補正の内容】
【０００６】
上記課題を解決するためになされた発明は、両端が開口し内面に雌ねじが設けられた筒
状の軸部と、前記軸部の下端側開口の周縁に設けられたフランジ部と、前記フランジ部から前記軸部上端側に向かって延出する爪と有する複数のＴナットを、各フランジ部が隣り合うように一列に並べて前記フランジ部の下面により粘着テープに貼着して連結したテープドＴナットであって、隣接するフランジ部間を跨ぐようにフランジ部の上面を覆う上面被覆シートを備え、前記フランジ部は、隣接するフランジ部との間に、Ｔナットの並ぶ方向と垂直な幅方向の両端部に前記粘着テープの粘着面が露出する間隙を有しており、前記上面被覆シートと前記粘着テープとが前記間隙から露出した粘着テープの粘着面で貼り合わせられて前記フランジ部を挟持している。
【手続補正３】
【補正対象書類名】明細書
【補正対象項目名】０００８
【補正方法】変更
【補正の内容】
【０００８】
本発明のテープドＴナットは、前記上面被覆シートが、前記爪に突き破られるように貫通されて前記粘着テープに貼着されていることを特徴とする。こうすることで、爪が上面被覆シートから抜けにくくなり、より効果的にＴナットの外れを抑制することができる。
【手続補正４】
【補正対象書類名】明細書
【補正対象項目名】０００９
【補正方法】変更
【補正の内容】
【０００９】
本発明のテープドＴナットは、前記上面被覆シートが、前記爪を挿通する挿通孔を備えるようにしてもよい。こうすることで、容易に上面被覆シートを粘着テープに貼り付けることができる。